(57)【要約】【課題】本発明は、加入者側終端装置および無線端末を効率よく省電力化することを目的とする。【解決手段】本発明は、加入者系ポイント・トゥ・マルチポイント型光通信ネットワークにおける加入者側終端装置及び無線ＬＡＮ基地局として機能する通信装置であって、加入者側終端装置及び無線ＬＡＮ基地局は、加入者側終端装置に対して省電力制御を行う局側通信装置から通知される光制御信号に含まれる情報又は無線ＬＡＮ基地局に接続されている無線端末に対して省電力制御を行う無線制御信号に含まれる情報を共有し、光制御信号に含まれる情報及び無線制御信号に含まれる情報に基づいて省電力制御を行う。【選択図】図１
2014222830.tif 000002
【特許請求の範囲】
【請求項１】
局側通信装置、加入者側終端装置及び無線ＬＡＮ基地局が接続されたポイント・トゥ・マルチポイント型光通信ネットワークにおける前記加入者側終端装置及び前記無線ＬＡＮ基地局として機能する通信装置であって、
前記加入者側終端装置及び前記無線ＬＡＮ基地局は、前記加入者側終端装置に対して省電力制御を行うための前記局側通信装置から通知される光制御信号に含まれる情報又は前記無線ＬＡＮ基地局に接続されている無線端末に対して省電力制御を行うための無線制御信号に含まれる情報を共有し、共有した省電力制御を行うための情報に基づいて前記加入者側終端装置又は前記無線端末の省電力制御を行う
ことを特徴とする通信装置。
【請求項２】
前記加入者側終端装置は、前記無線ＬＡＮ基地局から受信した無線制御信号の情報を用いて、該加入者側終端装置を構成する一部の部品に対して給電を停止するタイミングを決定し、決定したタイミングに該加入者側終端装置を構成する一部の部品に対して給電を停止するスリープ許可を前記局側通信装置から取得する、
ことを特徴とする請求項１に記載の通信装置。
【請求項３】
前記無線ＬＡＮ基地局は、前記加入者側終端装置からの前記光制御信号を用いて、前記加入者側終端装置を構成する一部の部品に対して給電を開始するタイミングを判定し、判定したタイミング以降に前記加入者側終端装置に到着するように、前記加入者側終端装置への上りフレーム及び前記無線制御信号を送信するとともに、判定したタイミング以降に前記加入者終端装置からの下りフレームを受信する、
ことを特徴とする請求項１又は２に記載の通信装置。
【請求項４】
前記無線ＬＡＮ基地局は、前記無線端末の接続状況に応じて、前記無線制御信号の送信タイミングを変化させ、
前記加入者側終端装置は、前記無線制御信号に含まれる前記無線制御信号の送信タイミングに基づいて、該加入者側終端装置を構成する一部の部品に対して給電を停止するタイミングを決定する、
ことを特徴とする請求項１から３のいずれかに記載の通信装置。
【請求項５】
前記無線ＬＡＮ基地局は、予め定められた特定のフレームを前記無線端末から受信したことを検知すると、前記加入者側終端装置を構成する一部の部品に対する給電の開始を要求する旨の無線制御信号を前記加入者側終端装置に送信し、当該無線制御信号の送信後に前記特定のフレームを前記加入者側終端装置に送信する、
ことを特徴とする請求項１から４のいずれかに記載の通信装置。
【請求項６】
局側通信装置、加入者側終端装置及び無線ＬＡＮ基地局が接続されたポイント・トゥ・マルチポイント型光通信ネットワークにおける前記加入者側終端装置及び前記無線ＬＡＮ基地局として機能する通信装置を用いた省電力化方法であって、
前記加入者側終端装置及び前記無線ＬＡＮ基地局は、前記加入者側終端装置に対して省電力制御を行うための前記局側通信装置から通知される光制御信号に含まれる情報又は前記無線ＬＡＮ基地局に接続されている無線端末に対して省電力制御を行うための無線制御信号に含まれる情報を共有する制御信号送信手順と、
前記制御信号送信手順で共有した省電力制御を行うための情報に基づいて前記加入者側終端装置又は前記無線端末の省電力制御を行う省電力制御手順と、
を順に有する通信装置を用いた省電力化方法。
【請求項７】
前記省電力制御手順において、前記無線ＬＡＮ基地局から受信した無線制御信号の情報を用いて、該加入者側終端装置を構成する一部の部品に対して給電を停止するタイミングを決定し、決定したタイミングに該加入者側終端装置を構成する一部の部品に対して給電を停止するスリープ許可を前記局側通信装置から取得する、
ことを特徴とする請求項６に記載の通信装置を用いた省電力化方法。
【請求項８】
前記省電力制御手順において、前記無線ＬＡＮ基地局は、前記加入者側終端装置からの前記光制御信号を用いて、前記加入者側終端装置を構成する一部の部品に対して給電を開始するタイミングを判定し、判定したタイミング以降に前記加入者側終端装置に到着するように、前記加入者側終端装置への上りフレーム及び前記無線制御信号を送信するとともに、判定したタイミング以降に前記加入者終端装置からの下りフレームを受信する、
ことを特徴とする請求項６又は７に記載の通信装置を用いた省電力化方法。
【発明の詳細な説明】
【技術分野】
【０００１】
本発明は、通信装置および通信装置を用いた省電力化方法に関する。
【背景技術】
【０００２】
近年、ＦＴＴＨ（Ｆｉｂｅｒ  Ｔｏ  Ｔｈｅ  Ｈｏｍｅ）を含むブロードバンドの普及は、多様なＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）サービスを展開する契機となっている。代表的なＩＣＴサービスであるＶｏＩＰ（Ｖｏｉｃｅ  ｏｖｅｒ  ＩＰ）やＩＰＴＶは、ＨＧＷ（Ｈｏｍｅ  Ｇａｔｅｗａｙ）を介して有線ＬＡＮにより提供される。一方で、情報家電や情報端末を宅内装置（ＯＮＵ、ＨＧＷ）下位のアクセスポイント（ＡＰ）を介して無線ＬＡＮにより提供させる形態も徐々に普及しつつある。このような、光アクセスネットワークと無線ネットワークから構成されるネットワークの形態をＦｉＷｉ（Ｆｉｂｅｒ  Ｗｉｒｅｌｅｓｓ）ネットワークという。
【０００３】
次世代ネットワークＮＧＮ（Ｎｅｘｔ  Ｇｅｎｅｒａｔｉｏｎ  Ｎｅｔｗｏｒｋ）におけるアクセスネットワークの代表的な網構成そして、その下位側に接続される無線ＬＡＮシステムを説明する。まず、アクセスネットワークに関しては、図８に示すＯＮＵ９２と光加入者線終端装置（Ｏｐｔｉｃａｌ  Ｌｉｎｅ  Ｔｅｒｍｉｎａｌ：ＯＬＴ）９１と光ファイバ伝送路９５において１対１で接続されるシングルスター構成（Ｓｉｎｇｌｅ  Ｓｔａｒ：ＳＳ）と、図９に示す様に、１つのＯＬＴ９１と複数のＯＮＵ９２とが１対ｎ（ｎは自然数）で接続されるポイント・トゥ・マルチポイント型の受動光ネットワーク（Ｐａｓｓｉｖｅ  Ｏｐｔｉｃａｌ  Ｎｅｔｗｏｒｋ：ＰＯＮ）構成とがある。
【０００４】
ＳＳ方式においては、ＯＮＵ９２がＯＬＴ９１を占有出来るので高速通信が可能であるが、装置コストが高いという欠点がある。一方ＰＯＮ方式においては、複数のＯＮＵ９２が１つのＯＬＴ９１や光ファイバ設備を共有するために経済性に優れるという理由から、多くの光アクセスシステムではＰＯＮ方式が採用されている。一方で無線ＬＡＮシステムは、これらアクセスネットワークの下位側に、図８及び図９に示すように、ＡＰ８１と無線端末８２が接続される。
【０００５】
ギガビットクラスのＰＯＮの代表的な規格として、ＩＥＥＥ８０２．３ａｈタスクフォースにおいて標準化されたＥＰＯＮ（Ｅｔｈｅｒｎｅｔ（登録商標）ＰＯＮ）、ＩＥＥＥ８０２．３ａｖタスクフォースにおいて標準化された、１０ギガビットクラスのＰＯＮシステムである１０Ｇ−ＥＰＯＮとがある。
【０００６】
一方、無線ＬＡＮの高速化も進んでおり、代表的な規格として、ＩＥＥ８０２．１１ｎタスクフォースにおいて標準化された無線ＬＡＮ規格がある。
【０００７】
一方で昨今の環境負荷軽減に向けたネットワークの省電力化は重要な課題の一つである。特に光アクセスネットワークの消費電力は光通信ネットワークにおける消費電力の約８０％を占めると言われている。今後の更なる情報家電、情報端末の普及によるＦＴＴＨの利用者の増加により宅内装置を始め、ＡＰ、情報端末や情報家電等のＦｉＷｉネットワーク全体の消費電力の増加に繋がると考えられる。ＦｉＷｉネットワークにおける省電力化手段として、ＰＯＮシステムの省電力化としてＩＴＵ−Ｔ  Ｇ．９８７．３や、ＩＥＥＥ  Ｐ．１９０４．１  ＳＩＥＰＯＮ（Ｓｔａｎｄａｒｄ  ｆｏｒ  Ｓｅｒｖｉｃｅ  Ｉｎｔｅｒｏｐｅｒａｂｉｌｉｔｙ  ｉｎ  Ｅｔｈｅｒｎｅｔ（登録商標）  Ｐａｓｓｉｖｅ  Ｏｐｔｉｃａｌ  Ｎｅｔｗｏｒｋｓ）で規定されるＯＮＵスリープ、無線ＬＡＮシステムにおける省電力化としてＩＥＥＥ  ８０２．１１で検討で規定されるＰＳＭ（Ｐｏｗｅｒ  Ｓａｖｉｎｇ  Ｍｏｄｅ）が存在する。
【０００８】
関連する通信装置の構成を示す。通信装置として、図１０に加入者側終端装置および無線ＬＡＮ基地局の構成を示す。ここでは、加入者終端装置としてＯＮＵ９２、無線ＬＡＮ基地局としてＡＰ８１を例にして説明する。
ＯＮＵ９２は、ＯＮＵ９２とＯＬＴ９１との間を流通する上りフレームと下りフレームの転送に関わる通常処理部２２と、フレームを送受信するための送受信部２１と、上りフレームと下りフレームを管理するキュー管理部２３と、キュー管理部２３に流入するフレームを観測する観測部２６と、経過時間を測定するタイマ２５と、ＯＮＵ９２を構成する一部の部品に対するスリープ／起動の判定を行うスリープ／起動判定部２７と、スリープ／起動の光制御信号を生成する制御信号生成部２８と、ＯＮＵ９２とＡＰ８１の間とを流通する上りフレームと下りフレームを送受信するための送受信部２４を備える。
【０００９】
次にＡＰ８１は、ＡＰ８１とＯＮＵ９２との間とを流通する上りフレームと下りフレームの転送に関わる通常処理部３４と、上りフレームと下りフレームを管理するキュー管理部３３と、上り無線フレームと下り無線フレームを生成する無線フレーム生成／変換部３２と、無線端末８２がＡＰ８１からのフレーム送受信タイミングを把握するための無線制御信号を生成する制御信号生成部３６と、ＡＰ８１と無線端末８２との間とを流通する上り無線フレームと下り無線フレームを送受信するためのアンテナ３１と、ＯＮＵ９２−ＡＰ８１間の送受信部３５とを備える。
【００１０】
次に関連するＯＮＵスリープおよび、ＰＳＭにおける省電力動作を説明する。まず図１１に示すＯＮＵスリープのシーケンスを用いてＯＮＵスリープにおける動作を説明する。ＯＬＴ９１は、無通信状態を検出すると、省電力制御開始のメッセージであるＳｌｅｅｐ許可をＯＮＵ９２へ送信する。本メッセージを受信したＯＮＵ９２は、無通信状態の場合、応答メッセージであるＡＣＫを送信し、一定時間後にＯＮＵ９２を構成する一部の部品に対して給電制御を開始する。その後ＯＮＵ９２は、給電制御を行うＳｌｅｅｐと通常状態のＡｃｔｉｖｅを決められた期間で繰り返す。その際に、制御フレームであるＧａｔｅおよび送信要求情報を載せるフレームであるＲｅｐｏｒｔをＯＬＴ９１とＯＮＵ９２間でやり取りする。図１１に示す様に、下りフレームが発生した場合は、ＯＬＴ９１から送信された起床要求のメッセージであるＡｗａｋｅ要求を受信する。本メッセージを受信したＯＮＵ９２はＡＣＫを送信し、その後ＯＬＴから送信された蓄積したフレームをＯＮＵ９２は受信する。この動作を繰り返す。
【００１１】
次に、図１２に示すＰＳＭのシーケンスを用いてＰＳＭにおける動作を説明する。ＡＰ８１は無線ＬＡＮのネットワークの情報をある決められた周期で無線制御信号であるＢｅａｃｏｎを無線端末８２へ送信する。ＰＳＭ対応の無線端末８２は、Ｂｅａｃｏｎ情報を基に上り無線フレームと下り無線フレームの送受信を行う。ＡＰ８１は、ＰＳＭ対応の無線端末８２が接続される場合には、上位ＮＷから流入受信した下りフレームを蓄積し、フレームの蓄積有無情報を含むＢｅａｃｏｎを無線端末８２に送信する。無線端末８２は、Ｂｅａｃｏｎを受信出来るタイミングでＡｗａｋｅし、それ以外の時間は無線端末８２を構成する一部の部品に対して給電制御を開始する。ＡＰ８１にフレームが蓄積されている場合、ＡＰ８１は、無線端末８２から送信される送信要求を受信した後に、蓄積されている下り無線フレームを無線端末８２へ送信する。
【００１２】
この様に、ＰＯＮシステムと無線ＬＡＮシステムは、それぞれ独立した省電力制御を行っている。
【先行技術文献】
【非特許文献】
【００１３】
【非特許文献１】“Ｓｔｕｄｙ  ａｎｄ  Ｄｅｍｏｎｓｔｒａｔｉｏｎ  ｏｆ  Ｓｌｅｅｐ  ａｎｄ  Ａｄａｐｔｉｖｅ  Ｌｉｎｋ  Ｒａｔｅ  Ｃｏｎｔｒｏｌ  Ｍｅｃｈａｎｉｓｍｓ  ｆｏｒ  Ｅｎｅｒｇｙ  Ｅｆｆｉｃｉｅｎｔ  １０Ｇ−ＥＰＯＮ”，ＩＥＥＥ／ＯＳＡ  Ｊｏｕｒｎａｌ  ｏｆ  Ｏｐｔｉｃａｌ  Ｃｏｍｍｕｎｉｃａｔｉｏｎｓ  ａｎｄ  Ｎｅｔｗｏｒｋｉｎｇ，Ｖｏｌ．２，Ｎｏ．９，ｐｐ．７１６−７２９，Ｓｅｐｔｅｍｂｅｒ  ２０１０．
【非特許文献２】“Ｓｔｕｄｙ  ｏｆ  Ｐｏｗｅｒ  Ｓａｖｉｎｇ  Ｓｃｈｅｍｅ  Ｓｕｉｔａｂｌｅ  ｆｏｒ  Ｗｉｒｅｌｅｓｓ  ＬＡＮ  ｉｎ  Ｍｕｌｔｉｍｄｉａ  Ｃｏｍｍｕｎｉｃａｔｉｏｎ”，Ｗｉｒｅｌｅｓｓ  Ｃｏｍｍｕｎｉｃａｔｉｏｎｓ  ａｎｄ  Ｎｅｔｗｏｒｋｉｎｇ  Ｃｏｎｆｅｒｅｎｃｅ，２００９（ＷＣＮＣ２００９），ＩＥＥＥ，Ｐｒｏｃｅｅｄｉｎｇｓ，Ａｐｒｉｌ，２００９．
【発明の概要】
【発明が解決しようとする課題】
【００１４】
ＦｉＷｉネットワークにおいてＰＯＮシステムおよび無線ＬＡＮシステムにおける省電力制御は独立して行われる。例えば、ＯＮＵスリープが起動中に無線端末８２からのフレームをＡＰ８１が受信した場合、ＡＰ８１はＯＮＵ９２へ送信するためＯＮＵスリープにおける省電力制御が解除されて通常起動状態に戻ってしまう。このため、加入者側終端装置および無線端末８２の給電停止時間が短くなり、省電力効果が低下してしまうという課題があった。
【００１５】
上述の課題を解決するために、本発明は、加入者側終端装置および無線端末を効率よく省電力化することを目的とする。
【課題を解決するための手段】
【００１６】
上述の課題を解決するために、本願発明の通信装置および通信装置を用いた省電力化方法は、ＰＯＮシステムと無線ＬＡＮシステムにおける省電力制御を連携させる。
【００１７】
具体的には、本発明に係る通信装置は、
前記加入者側終端装置及び前記無線ＬＡＮ基地局は、前記加入者側終端装置に対して省電力制御を行うための前記局側通信装置から通知される光制御信号に含まれる情報又は前記無線ＬＡＮ基地局に接続されている無線端末に対して省電力制御を行うための無線制御信号に含まれる情報を共有し、共有した省電力制御を行うための情報に基づいて前記加入者側終端装置又は前記無線端末の省電力制御を行う。
【００１８】
本発明に係る通信装置では、
前記加入者側終端装置は、前記無線ＬＡＮ基地局から受信した無線制御信号の情報を用いて、該加入者側終端装置を構成する一部の部品に対して給電を停止するタイミングを決定し、決定したタイミングに該加入者側終端装置を構成する一部の部品に対して給電を停止するスリープ許可を前記局側通信装置から取得してもよい。
【００１９】
本発明に係る通信装置では、
前記無線ＬＡＮ基地局は、前記加入者側終端装置からの前記光制御信号を用いて、前記加入者側終端装置を構成する一部の部品に対して給電を開始するタイミングを判定し、判定したタイミング以降に前記加入者側終端装置に到着するように、前記加入者側終端装置への上りフレーム及び前記無線制御信号を送信するとともに、判定したタイミング以降に前記加入者終端装置からの下りフレームを受信してもよい。
【００２０】
本発明に係る通信装置では、
前記無線ＬＡＮ基地局は、前記無線端末の接続状況に応じて、前記無線制御信号の送信タイミングを変化させ、
前記加入者側終端装置は、前記無線制御信号に含まれる前記無線制御信号の送信タイミングに基づいて、該加入者側終端装置を構成する一部の部品に対して給電を停止するタイミングを決定してもよい。
【００２１】
本発明に係る通信装置では、
前記無線ＬＡＮ基地局は、予め定められた特定のフレームを前記無線端末から受信したことを検知すると、前記加入者側終端装置を構成する一部の部品に対する給電の開始を要求する旨の無線制御信号を前記加入者側終端装置に送信し、当該無線制御信号の送信後に前記特定のフレームを前記加入者側終端装置に送信してもよい。
【００２２】
具体的には、本発明に係る通信装置を用いた省電力化方法は、
局側通信装置、加入者側終端装置及び無線ＬＡＮ基地局が接続されたポイント・トゥ・マルチポイント型光通信ネットワークにおける前記加入者側終端装置及び前記無線ＬＡＮ基地局として機能する通信装置を用いた省電力化方法であって、
前記加入者側終端装置及び前記無線ＬＡＮ基地局は、前記加入者側終端装置に対して省電力制御を行うための前記局側通信装置から通知される光制御信号に含まれる情報又は前記無線ＬＡＮ基地局に接続されている無線端末に対して省電力制御を行うための無線制御信号に含まれる情報を共有する制御信号送信手順と、
前記制御信号送信手順で共有した省電力制御を行うための情報に基づいて前記加入者側終端装置又は前記無線端末の省電力制御を行う省電力制御手順と、
を順に有する。
【００２３】
本発明に係る通信装置を用いた省電力化方法では、
前記省電力制御手順において、前記無線ＬＡＮ基地局から受信した無線制御信号の情報を用いて、該加入者側終端装置を構成する一部の部品に対して給電を停止するタイミングを決定し、決定したタイミングに該加入者側終端装置を構成する一部の部品に対して給電を停止するスリープ許可を前記局側通信装置から取得してもよい。
【００２４】
本発明に係る通信装置を用いた省電力化方法では、
前記省電力制御手順において、前記無線ＬＡＮ基地局は、前記加入者側終端装置からの前記光制御信号を用いて、前記加入者側終端装置を構成する一部の部品に対して給電を開始するタイミングを判定し、判定したタイミング以降に前記加入者側終端装置に到着するように、前記加入者側終端装置への上りフレーム及び前記無線制御信号を送信するとともに、判定したタイミング以降に前記加入者終端装置からの下りフレームを受信してもよい。
【００２５】
なお、上記各発明は、可能な限り組み合わせることができる。
【発明の効果】
【００２６】
本発明の通信装置及び通信装置を用いた省電力化方法は、加入者側終端装置及び無線ＬＡＮ基地局が省電力制御を行うに際して省電力制御情報を共有し、ＰＯＮシステムと無線ＬＡＮシステムにおける省電力制御を連携させるため、給電制御タイミングを効率良く行うことができる。これにより、本発明の通信装置及び通信装置を用いた省電力化方法は、加入者側終端装置および無線端末のスリープ時間を長くし、加入者側終端装置および無線端末を効率よく省電力化することが出来る。
【図面の簡単な説明】
【００２７】
【図１】本実施形態に係る通信装置の構成図を示す。
【図２】実施形態１に係る通信装置の構成図を示す。
【図３】実施形態１に係る省電力化動作の一例を示す。
【図４】実施形態２に係る通信装置の構成図を示す。
【図５】実施形態２に係る省電力化動作の一例を示す。
【図６】実施形態３に係る通信装置の構成図を示す。
【図７】実施形態４に係る省電力化動作の一例を示す。
【図８】シングルスター型光通信ネットワークの構成の一例を示す。
【図９】ポイント・トゥ・マルチポイント型光通信ネットワークの構成の一例を示す。
【図１０】関連する加入者側終端装置および無線ＬＡＮ基地局の構成を示す。
【図１１】関連するＰＯＮシステムにおける省電力化動作の一例を示す。
【図１２】関連する無線ＬＡＮシステムにおける省電力化動作の一例を示す。
【発明を実施するための形態】
【００２８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２９】
以下、本発明による通信装置および通信装置を用いた省電力化方法に関する実施形態について図面を参照して説明する。
図１に、本実施形態に係る通信装置の構成図を示す。本実施形態に係る通信装置は、ネットワーク回線を終端する加入者通信装置と、これに接続する無線ＬＡＮ基地局を備える。加入者通信装置は、例えばＯＮＵ９２である。また、無線ＬＡＮ基地局は、例えばＡＰ８１である。無線端末８２は、無線ＬＡＮ基地局と通信を行うことの可能な各種情報機器である。
【００３０】
ＯＮＵ９２は、関連する構成と同様に、通常処理部２２と、ＯＬＴ９１−ＯＮＵ９２間の送受信部２１と、キュー管理部２３と、観測部２６と、タイマ２５と、スリープ／起動判定部２７と、制御信号生成部２８と、ＯＮＵ９２−ＡＰ８１間の送受信部２４とを備える。またＡＰ８１は、通常処理部３４と、キュー管理部３３と無線フレーム生成／変換部３２と、制御信号生成部３６と、アンテナ３１と、送受信部３５と、キュー管理部３３に流入するフレームを観測する観測部３８と、経過時間を測定するタイマ３７とを備える。
【００３１】
図１０に示した関連する構成と比べて、ＯＮＵ９２は、ＡＰ８１から得られる制御情報をスリープ／起動判定部２７に伝達する手段を備えた点と、ＡＰ８１が観測部２６とタイマ２５とを備えた点と、ＡＰ８１がＯＮＵ９２から得られる制御情報をＡＰ８１の制御信号生成部３６に伝達する手段を備えた点と、ＯＮＵ９２から得られる制御信号をＡＰ８１のスリープ／起動判定部に２７に伝達する手段を備えた点が異なる。
【００３２】
本願発明における通信装置を用いた省電力化方法は、ＰＯＮシステムと無線ＬＡＮシステムにおける省電力制御を連携させる。ＰＯＮシステムにおける省電力動作は、例えばＯＮＵスリープである。無線ＬＡＮシステムにおける省電力動作は、例えばＰＳＭである。ＯＮＵスリープおよび無線ＬＡＮシステムにおける給電対象部位として、ＯＮＵスリープにおいては、例えばＯＮＵ９２に備わる送受信部２１が挙げられる。一方、無線ＬＡＮシステムにおいては、例えば無線端末８２に備わる送受信部３５が挙げられる。その他、給電時間により他の部品への給電を制御することが可能であるため、本発明においては、給電対象部位はこれに限らない。
【００３３】
本願発明における通信装置を用いた省電力化方法は、制御信号送信手順と、省電力制御手順と、を順に有する。制御信号送信手順においては、ＰＯＮシステムと無線ＬＡＮシステムとで省電力制御を行うための省電力制御情報を共有する。省電力制御手順では、共有した省電力制御情報に基づいてＯＮＵ９２又は無線端末８２の省電力制御を行う。
【００３４】
（実施形態１）
本実施形態に係る通信装置を用いた省電力化方法は、制御信号送信手順において、ＡＰ８１は、無線制御信号を無線端末８２に送信するとともに、当該無線制御信号に含まれる情報をＯＮＵ９２に送信する。無線制御信号は、ＡＰ８１に接続されている無線端末８２に対して省電力制御を行う信号であり、例えばＢｅｃｏｎの情報を含む。Ｂｅｃｏｎの情報には、フレーム到着の有無や、Ｂｅｃｏｎの送信タイミングが含まれる。そして、省電力制御手順において、ＯＮＵ９２は、ＡＰ８１から受信した無線制御信号の情報を用いて、該ＯＮＵ９２を構成する一部の部品に対して給電を停止するタイミングを決定し、決定したタイミングに該ＯＮＵ９２を構成する一部の部品に対して給電を停止するスリープ許可をＯＬＴ９１から取得する。
【００３５】
図２に示す通信装置の構成において、ＯＮＵスリープとＰＳＭの省電力動作をＡＰ８１から送信されるＢｅａｃｏｎ情報を無線制御情報としてＯＮＵ９２へ伝達することでＯＮＵスリープとＰＳＭの省電力制御を連携させる場合について、図３のシーケンスを用いて説明する。まず、図３においてＡＰ８１から無線端末８２へＢｅａｃｏｎが送信された場合におけるＯＮＵスリープの動作を説明する。
【００３６】
ＡＰ８１の制御信号生成部３６から無線端末８２へＢｅａｃｏｎが送信された場合、ＡＰ８１は、該Ｂｅａｃｏｎ情報を無線制御情報としてＯＮＵ９２のスリープ／起動判定部２７へ転送する。その後、ＯＮＵ９２は、ＯＬＴ９１へＳｌｅｅｐ要求を送信する。ＯＬＴ９１は、キュー管理部（不図示）にフレームの蓄積がなかった場合、Ｓｌｅｅｐ許可信号を送信する。ＯＮＵ９２は、Ｓｌｅｅｐ許可信号を受信した後、ＯＬＴ９１に応答信号であるＡＣＫを送信し、ある一定時間経過後に給電制御を行う。
【００３７】
ＡＰ８１からＯＮＵ９２へ送信するＢｅａｃｏｎ情報にはＢｅａｃｏｎ送信周期に関する情報が含まれているため、ＯＮＵ９２、は該情報を基にＡｗａｋｅ要求をＯＬＴ９１へ送信し、ＯＬＴ９１からＡｗａｋｅ許可を受信した後、Ｓｌｅｅｐ期間中に蓄積した上りフレームをＯＬＴ９１側に送信する。一方、ＯＬＴ９１は、Ｓｌｅｅｐ期間中にＯＬＴ９１のキュー管理部に蓄積した下りフレームをＯＮＵ９２へ送信する。ＯＮＵ９２は、ＯＬＴ９１から受信した下りフレームをＡＰ８１へ送信する。同様な繰り返しを行う。
【００３８】
次にＰＳＭの省電力動作を説明する。ＡＰ８１は、無線端末８２へＢｅａｃｏｎを送信した後にキュー管理部３３にフレームの流入があった場合、ＯＮＵ９２がＳｌｅｅｐしている期間はフレームをキュー管理部３３に蓄積する。そして、ＡＰ８１は、次のＢｅａｃｏｎ送信までにキュー管理部３３に蓄積したフレームをＯＮＵ９２へ送信する。ＡＰ８１のキュー管理部３３内に蓄積フレームがある場合、ＡＰ８１は、２つ目に送信するＢｅａｃｏｎに該情報を載せて無線端末８２に送信する。Ｂｅａｃｏｎを受信した無線端末８２は、送信要求をＡＰ８１に送信する。送信要求を受信したＡＰ８１は、送信要求を受信後に無線端末８２に蓄積フレームを送信する。これらの動作を繰り返す。
【００３９】
本実施形態に係る通信装置は、ＡＰ８１から送信される無線制御信号を基に、ＯＮＵスリープ周期を決め、その間にＯＬＴ９１に流入する下りフレームは送信を停止し、ＡＰ８１に流入する上りフレームをＡＰ８１のキュー管理部３３内で蓄積する。さらに実施形態に係る通信装置は、ＯＮＵ９２のＡｗａｋｅ時間に合わせてＡＰ８１からＯＮＵ９２へ上りフレームを送信する。このため、本実施形態に係る通信装置は、ＯＮＵ９２および無線端末８２を構成する一部の部品に対する給電制御の時間を関連する発明よりも長くすることが出来、省電力効果の向上が可能である。
【００４０】
（実施形態２）
本実施形態に係る通信装置を用いた省電力化方法は、制御信号送信手順において、ＯＮＵ９２は、光制御信号をＯＬＴ９１から受信すると、光制御信号に含まれる情報をＡＰ８１へ送信する。ここで、光制御信号は、ＯＮＵ９２に対して省電力制御を行う信号であり、例えばＳｌｅｅｐ許可の情報を含む。Ｓｌｅｅｐ許可の情報には、ＯＮＵ９２を構成する一部の部品に対して給電を停止するタイミングが含まれる。そして、省電力制御手順において、ＡＰ８１は、ＯＮＵ９２を構成する一部の部品に対して給電を開始するタイミングを判定し、判定したタイミング以降にＯＮＵ９２に到着するように、ＯＮＵ９２への上りフレーム及び無線制御信号を送信するとともに、判定したタイミング以降にＯＮＵ９２からの下りフレームを受信する。
【００４１】
図４に示す通信装置の構成において、ＯＮＵスリープとＰＳＭの省電力動作をＯＮＵ９２から送信されるスリープ情報をＡＰ８１へ制御情報として伝達することでＯＮＵスリープとＰＳＭの省電力制御を連携される場合について、図５のシーケンスを用いて説明する。
【００４２】
まず、図５においてＯＬＴ９１からＯＮＵ９２へスリープメッセージが送信された場合におけるＰＳＭの動作を説明する。
ＯＮＵ９２がＯＬＴ９１からスリープメッセージを受信した場合、該スリープメッセージの情報を光制御情報としてＡＰ８１の制御信号生成部３６に転送する。その後、ＡＰ８１は、該光制御情報を基に、無線端末８２へＢｅａｃｏｎを送信する。該光制御情報およびＢｅａｃｏｎには、ＯＮＵスリープの周期に関する情報が含まれている。
【００４３】
その後、該光制御情報を基に、ＡＰ８１は、ＯＮＵ９２の構成する一部の部品に対して給電制御する時間に関する情報を含むＢｅａｃｏｎを無線端末８２へ送信する。ＡＰ８１がＢｅａｃｏｎを送信してから次のＢｅａｃｏｎ送信前までにＡＰ８１に無線端末８２からフレームの流入があった場合、ＯＮＵ９２がＳｌｅｅｐしている期間は、ＡＰ８１は、ＯＮＵ９２への上りフレームの送信を停止し、ＡＰ８１のキュー管理部３３内で該フレームを蓄積する。そして、ＡＰ８１は、ＯＮＵ９２がＡｗａｋｅした後に、ＡＰ８１のキュー管理部３３の蓄積フレームをＯＮＵ９２へ送信する。これらの動作を繰り返す。
【００４４】
次にＯＮＵスリープの動作を説明する。ＯＬＴ９１は、ＯＮＵ９２へＳｌｅｅｐ許可を送信し、ＯＮＵ９２からＡＣＫを受信し、ある一定時間経過後に、給電停止部位の制御を行う。Ｓｌｅｅｐ許可には、スリープ周期に関する情報が含まれている。Ｓｌｅｅｐ時間が経過した後に、ＯＮＵ９２は、ＯＬＴ９１にＡｗａｋｅ要求を送信する。ＯＮＵ９２内に蓄積フレームがある場合、ＯＮＵ９２は、ＯＬＴ９１からのＧａｔｅフレームを受信後に、蓄積フレームをＯＬＴ９１へ送信する。ＯＬＴ９１のキュー管理部に蓄積フレームがなかった場合、ＯＮＵ９２は、ＯＬＴ９１から受信したＳｌｅｅｐ許可を基にＡＣＫをＯＬＴ９１へ送信し、ある一定期間が経った後Ｓｌｅｅｐに入る。これらの動作を繰り返す。
【００４５】
本実施形態に係る通信装置は、ＯＮＵスリープにおける光制御情報を基にＡＰ８１から無線端末８２へ送信するＢｅａｃｏｎの送信周期を決め、その間にＯＬＴ９１に流入する下りフレームは送信を停止し、かつＡＰ８１に流入する上りフレームをＡＰ８１のキュー管理部３３内で蓄積する。さらに本実施形態に係る通信装置は、ＯＮＵ９２のＡｗａｋｅ時間に合わせてＡＰ８１からＯＮＵ９２へ上りフレームを送信する。このため、本実施形態に係る通信装置は、ＯＮＵ９２および無線端末８２を構成する一部の部品に対する給電制御の時間を関連する発明よりも長くすることが出来、省電力効果の向上が可能である。
【００４６】
（実施形態３）
図６に、本実施形態に係る通信装置の構成の一例を示す。本実施形態に係る通信装置は、ＯＮＵスリープとＰＳＭの省電力制御に関する情報の伝達を実施形態１および実施形態２とは異なり物理的信号線を用いて行う。
【００４７】
図２及び図４では、ＯＮＵスリープおよびＰＳＭの省電力制御に関する光制御信号および無線制御信号を含む制御信号は送受信部２４及び３５を通じてイーサネット（登録商標）などの主信号と共に送信され、ＯＮＵ９２側でデータを識別して制御情報を出力するため、制御情報の識別処理を要する。一方、図６に示す本実施形態に係る通信装置は、専用の制御信号出力ポートと信号線２９を設け、直接ＯＮＵ９２およびＡＰ８１に制御信号を伝達する。本実施形態に係る通信装置は、制御情報の識別処理が不用であるため、制御情報の伝達時間を短縮し、ＯＮＵ９２および無線端末８２を構成する一部の部品に対して給電制御を長くすることが出来る。これにより、本実施形態に係る通信装置は、省電力効果の向上が可能である。
【００４８】
（実施形態４）
本実施形態に係る通信装置は、実施形態１及び実施形態２とは異なり予め指定した特定のフレームが流入した場合、遅延時間を考慮しＯＮＵ９２を構成する一部の部品に対する給電を解消し、直ちにＯＬＴ９１へ送信する。
【００４９】
本実施形態に係る通信装置について、図７のシーケンスを用いて説明する。本実施形態では、特定のフレームとして、緊急電話等の優先度の高いトラヒックが流入した場合を想定する。また、本実施形態に係る通信装置は、実施形態２と同様に、ＯＮＵスリープとＰＳＭの省電力動作をＯＮＵ９２から送信されるスリープ情報をＡＰ８１へ光制御情報として伝達することでＯＮＵスリープとＰＳＭの省電力制御を連携される場合を例にする。
【００５０】
まず、ＯＬＴ９１が無通信状態を検出してＯＮＵ９２へＳｌｅｅｐ許可を送信した場合、ＯＮＵ９２は、該Ｓｌｅｅｐ許可の情報を光制御情報としてＡＰ８１の制御信号生成部３６に転送する。ＡＰ８１の制御信号生成部３６は、光制御情報を基に、無線端末８２へＢｅａｃｏｎを送信する。該光制御情報およびＢｅａｃｏｎには、ＯＮＵスリープの周期に関する情報が含まれている。
【００５１】
ＡＰ８１の制御信号生成部３６がＢｅａｃｏｎを送信してから次のＢｅａｃｏｎを送信するまでの間に、無線端末８２からの緊急電話等のフレームがＡＰ８１のキュー管理部３３に流入した場合、通常であれば、ＡＰ８１は、ＯＮＵ９２がＳｌｅｅｐしている期間はＯＮＵ９２への送信を停止し、ＡＰ８１のキュー管理部３３内でフレームを蓄積する。
【００５２】
観測部３８は、キュー管理部３３に蓄積されているフレームが緊急電話等の予め定められた特定のフレームであることを判定する。観測部３８が特定のフレームを観測すると、制御信号生成部３６は、ＯＮＵ９２を構成する一部の部品に対して給電制御を行っている期間にも関わらず直ちにＯＮＵ９２へデータを送信した後に、ＯＮＵ９２はＯＬＴ９１へＡｗａｋｅ要求を送信する。その後、ＯＬＴ９１からＧａｔｅを受信してから、ＯＮＵ９２はフレームを送信する。
【００５３】
本実施形態に係る通信装置は、通常動作では、ＯＮＵスリープ、ＰＳＭにおける給電停止中に流入したフレームは蓄積してＯＮＵ９２の起動直前にＯＮＵ９２へ送信するが、特定のフレームが流入した場合、無線端末８２からＡＰ８１がフレームを受信した直後にＯＮＵ９２へフレームを送信する。これにより、本実施形態に係る通信装置は、遅延時間を考慮しかつ省電力効果を向上させることが出来る。
【００５４】
（実施形態５）
本実施形態に係る通信装置は、実施形態１及び実施形態２とは異なり、ＡＰ８１に接続される無線端末８２の接続状況や利用状況に応じて、ＯＮＵスリープ又はＰＳＭの給電停止制御時間を決定する。例えば、無線制御信号の送信タイミングを変化させる。
【００５５】
例えば、夜間などのユーザが就寝中にＡＰ８１に接続される無線端末８２がない場合、ＯＮＵスリープおよびＰＳＭにおける給電停止時間をＴ１とする。また、日中などユーザが使用するＡＰ８１に接続される無線端末８２が多数存在する場合、ＯＮＵスリープおよびＰＳＭにおける給電停止時間をＴ２とする。ＯＬＴ９１からのＧａｔｅフレームに対して、ＯＮＵ９２がある一定時間以上Ｒｅｐｏｒｔフレームを返さない場合は、ＯＬＴ９１はタイムアウトを検出して、リンク断と判断するため、Ｔ１はＯＬＴ９１がＯＮＵ９２との接続がリンク断だと判断するまでの時間よりも短く設定される。つまり、ＯＮＵ９２−ＯＬＴ９１間でのリンク維持期間＞Ｔ１＞Ｔ２となる。
【００５６】
制御信号生成部３６は、無線端末８２からＡＰ８１に流入するフレームをＡＰ８１の観測部３８とタイマ３７によりモニタすることで、給電停止時間を決定する。例えば、ある一定時間内に流入するフレーム量がしきい値フレーム量ｘ＿ｔｈ以下であった場合、制御信号生成部３６は、ＡＰ８１側でのＢｅａｃｏｎ送出周期をＴ１に設定する。それ以上であった場合は、制御信号生成部３６は、ＡＰ８１側でのＢｅａｃｏｎ送出周期をＴ２に設定する。
【００５７】
制御信号生成部３６は、Ｂｅａｃｏｎの送出周期を設定した後に、無線端末８２へＢｅａｃｏｎを送出する。そして、制御信号生成部３６は、該Ｂｅａｃｏｎ情報を無線制御情報としてＯＮＵスリープ／起動判定部２７へ転送する。その後、ＯＮＵ９２は、ＯＬＴ９１へＳｌｅｅｐ要求を送信する。ＯＬＴ９１のキュー管理部（不図示）にフレームの蓄積が無かった場合、ＯＮＵ９２は、ＯＬＴ９１から送信されるＳｌｅｅｐ許可信号を受信した後、ＯＬＴ９１にＡＣＫを送信し、ある一定時間経過後に給電停止部位の制御を行う。
【００５８】
Ｂｅａｃｏｎ情報には、Ｂｅａｃｏｎ送信周期に関する情報が含まれているため、ＯＮＵ９２は、該情報を基にＡｗａｋｅ要求を送信し、ＯＬＴ９１からＡｗａｋｅ許可を受信した後、Ｓｌｅｅｐ期間中に蓄積した上りフレームをＯＬＴ９１側に送信する。一方、Ｓｌｅｅｐ期間中にＯＬＴ９１のキュー管理部（不図示）に蓄積した下りフレームもＯＮＵ９２で受信しＡＰ８１へ送信する。同様な繰り返しを行う。
【００５９】
ＯＮＵスリープおよびＰＳＭにおける給電停止時間の決定は、任意の時間においてＡＰ８１に流入するフレームをモニタすることにより行われる。また、キュー管理部３３のモニタ方法は、本実施形態においてはある一定時間内に流入するフレーム量を用いる例を示したが、フレーム到着間隔、キュー長の監視などでも良い。また、しきい値時間はタイマ３７を用いて測定したが、ＡＰ８１のキュー管理部３３内のバッファ量を計算する方法でも良い。
【００６０】
通常、ＯＮＵスリープではＯＬＴ９１が給電停止時間を決定し、ＰＳＭではＡＰ８１がＢｅａｃｏｎ送出期間を決定する。一方、本実施形態に係る通信装置は、無線端末８２の情報端末数や利用状況を基にＡＰ８１が給電停止時間を設定する。このため、本実施形態に係る通信装置は、ユーザの利用状況に合わせた省電力動作が可能となり、関連する発明よりも省電力効果を向上させることが出来る。
【産業上の利用可能性】
【００６１】
本発明は情報通信産業に適用することができる。
【符号の説明】
【００６２】
２１：送受信部
２２：通常処理部
２３：キュー管理部
２４：送受信部
２５：タイマ
２６：観測部
２７：スリープ／起動判定部
２８：制御信号生成部
２９：信号線
３１：アンテナ
３２：無線フレーム生成／変換部
３３：キュー管理部
３４：通常処理部
３５：送受信部
３６：制御信号生成部
３７：タイマ
３８：観測部
８１、８１１、８１ｉ、８１ｎ：ＡＰ
８２：無線端末
９１：ＯＬＴ
９２、９２１、９２ｉ、９２ｎ：ＯＮＵ
９４：スプリッタ
９５：光伝送路
【図１】
2014222830.tif 000003
【図２】
2014222830.tif 000004
【図３】
2014222830.tif 000005
【図４】
2014222830.tif 000006
【図５】
2014222830.tif 000007
【図６】
2014222830.tif 000008
【図７】
2014222830.tif 000009
【図８】
2014222830.tif 000010
【図９】
2014222830.tif 000011
【図１０】
2014222830.tif 000012
【図１１】
2014222830.tif 000013
【図１２】
2014222830.tif 000014